(57)【要約】【課題】簡単に高画質のハードコピィが得られるようにし、更にハードコピィを得るまでの手間と時間とを省く。【解決手段】デジタルスチルカメラ９により撮像する。このカメラ９は、撮影コマ格納用メモリと転送画像データ用メモリとを持ち、撮像された画像データを自動的にラボ店に転送する。ラボ店は、プリント設備１０を備える。プリント設備１０は、データ受信部３０、画像記憶ファイル３１、デジタルプリンタ３２、請求書発行プリンタ３３を有する。カメラ９から転送された画像データを、識別データに基づき画像記録ファイル３１に記憶する。デジタルプリンタ３２により画像データとプリント指示データとに基づきプリントする。撮影のたびに画像データを転送するので、記憶容量を気にすることなく、無制限に多数のコマを撮像することができる。データ転送するので迅速にハードコピィが得られる。【選択図】図１
2008099327.tif 000002
【特許請求の範囲】
【請求項１】
動画像を撮像する撮像部と、
前記撮像部により撮像された動画像からプリント目標のフレームである画像データを指定するプリント指示データ、及び前記画像データを識別するための識別データを発生させる識別・指示データ発生部と、
前記画像データに所定の画像処理を施す画像処理部と、
前記画像処理部により画像処理を施された画像データ、前記識別・指示データ発生部により発生された前記プリント指示データ及び前記識別データを記録する記録部と、
前記記録部に記憶された画像データ、前記識別データ及び前記プリント指示データをプリンタに転送するデータ通信部とを備えることを特徴とするカメラ。
【請求項２】
前記プリント目標のフレーム画像の前後において、画面が完全に静止しているときに、静止時間中の複数フレーム画像の平均値をとり、撮像入力系から記録系の間に発生するノイズを除去することを特徴とする請求項１記載のカメラ。
【請求項３】
前記プリント目標のフレーム画像の前後において、画面移動が所定の許容範囲内のときに、プリント目標のフレームの前後のフレームの画像データを用いて画素ずらし法による画素補完を行うことを特徴とする請求項１記載のカメラ。
【請求項４】
前記プリント指示データが、プリントサイズデータ、プリント枚数データ及びトリミングプリントを指示する指示データを含むものであることを特徴とする請求項１から３いずれか１項記載のカメラ。
【請求項５】
前記転送された画像データを閲覧する閲覧モード部を更に備えることを特徴とする請求項１から４いずれか１項記載のカメラ。
【請求項６】
前記記録された画像データを表示するディスプレィを更に備え、
前記閲覧モード部が、前記ディスプレィまたは、カメラとは別体のディスプレィのいずれかに表示するように選択するものであることを特徴とする請求項５記載のカメラ。
【請求項７】
前記データ通信部が、前記プリンタに正常にデータ転送されない際、アラームを発生するものであることを特徴とする請求項１から６いずれか１項記載のカメラ。
【請求項８】
前記データ通信部が、通話機能を付加されたものであることを特徴とする請求項１から７いずれか１項記載のカメラ。
【発明の詳細な説明】
【技術分野】
【０００１】
本発明はカメラに関するものである。
【背景技術】
【０００２】
現行のカメラ及び写真プリント方式では、撮影済みのネガフイルムを現像所やＤＰ受付店に引き渡し、同時プリント等の処理が完了した後にこれらを受け取りにいくようにしていた。また、従来の電子式スチルカメラでは、フロッピィディスクやＬＳＩカード等の記録媒体をカメラに装填して、これら記録媒体に画像データを記憶するようにしていた（特許文献１参照）。
【特許文献１】特開平７−２８８７６７号公報
【発明の開示】
【発明が解決しようとする課題】
【０００３】
このように、従来の写真プリント方式では、ネガフイルムやフロッピィディスクなどの記録媒体を用いる必要があった。しかも、これら記録媒体を現像所やＤＰ受付店に引き渡す必要があり、ＤＰ処理等の注文に手間と時間がかかっていた。
【０００４】
本発明は上記課題を解決するためのものであり、動画像から高画質のプリントが得られるようにし、しかもプリントを得るまでの手間と時間が省けるようにしたカメラを提供することを目的とする。
【課題を解決するための手段】
【０００５】
上記目的を達成するために、本発明では、動画像を撮像する撮像部と、前記撮像部により撮像された動画像からプリント目標のフレームである画像データを指定するプリント指示データ、及び前記画像データを識別するための識別データを発生させる識別・指示データ発生部と、前記画像データに所定の画像処理を施す画像処理部と、前記画像処理部により画像処理を施された画像データ、前記識別・指示データ発生部により発生された前記プリント指示データ及び前記識別データを記録する記録部と、前記記録部に記憶された画像データ、前記識別データ及び前記プリント指示データをプリンタに転送するデータ通信部とを備えることを特徴とする。
【０００６】
また、本発明は、前記プリント目標のフレーム画像の前後において、画面が完全に静止しているときに、静止時間中の複数フレーム画像の平均値をとり、撮像入力系から記録系の間に発生するノイズを除去することを特徴とする。
【０００７】
また、本発明は、前記プリント目標のフレーム画像の前後において、画面移動が所定の許容範囲内のときに、プリント目標のフレームの前後のフレームの画像データを用いて画素ずらし法による画素補完を行うことを特徴とする。
【０００８】
なお、前記プリント指示データが、プリントサイズデータ、プリント枚数データ及びトリミングプリントを指示する指示データを含むものであることが好ましい。また、前記転送された画像データを閲覧する閲覧モード部を更に備えたものであることが好ましい。また、前記記録された画像データを表示するディスプレィを更に備え、前記閲覧モード部が、前記ディスプレィまたは、カメラとは別体のディスプレィのいずれかに表示するように選択するものであることが好ましい。また、前記データ通信部が、前記プリンタに正常にデータ転送されない際、アラームを発生するものであることが好まし、さらに、通話機能を付加されたものであることが好ましい。
【発明の効果】
【０００９】
本発明では、撮像部により撮像された動画像からプリント目標のフレームである画像データを指定するプリント指示データ及び前記画像データを識別するための識別データを発生させ、これら画像データ、識別データ及びプリント指示データをプリンタに転送するから、動画像から簡単にプリントを得ることができる。また、プリントを得るために、従来のようにネガフイルムや記録媒体をＤＰ受付店等に持ち込む手間を省くことができる。また、ＤＰ受付店やラボ店では、人手による受付処理を行うことなく、受付処理や仕分け、課金処理等を自動的に行うことができる。しかも、撮影終了後にデータが転送されることにより、迅速なプリント処理が行える。
【発明を実施するための最良の形態】
【００１０】
図１は、本発明のカメラを用いたプリントシステムを示す概略図である。プリントシステムは、デジタルスチルカメラ９と、ラボ店に設置されるプリント設備１０とから構成されている。これらデジタルスチルカメラ９とプリント設備１０とは、携帯電話回線１１により接続されるようになっている。デジタルスチルカメラ９は、スチルカメラ本体１２とデータ通信部１３とこれらを制御するシステムコントローラ１４とから構成されている。
【００１１】
スチルカメラ本体１２は、撮像部１５，画像処理部１６，バッファメモリ１７から構成されている。撮像部１５は３板式のイメージエリアセンサから構成されており、被写体を撮像する。画像処理部１６は、ガンマ変換や周知の画像処理を行った後にＡ／Ｄ変換し、これをバッファメモリ１７に記憶する。バッファメモリ１７は、２個のフレームメモリ１７ａ，１７ｂから構成されており、一方のフレームメモリ１７ａでデータ圧縮処理等を行っているときに、他方のフレームメモリ１７ｂに画像処理部１６からの画像データが書き込めるようになっている。
【００１２】
データ通信部１３は、データ圧縮部１８、識別・指示データ発生部１９、携帯電話部２０から構成されている。データ圧縮部１８は、フレームメモリ１７ａ，１７ｂの一方から１フレーム分のデジタル画像データを読みだして、画像データを１／１０〜１／２０程度の圧縮率で、ＪＰＥＧ（Joint Photographic Experts  Group）圧縮する。圧縮された画像データは携帯電話部２０に送られる。なお、データ圧縮方式はＪＰＥＧに限定されることなく、他の周知の圧縮方式を用いてもよい。
【００１３】
識別・指示データ発生部１９は、カメラ使用者を特定する識別番号データ（ＩＤデータ）や、キー入力部２１から入力される各種プリント指令に対応するプリント指示データを発生する。これら識別・指示データは、携帯電話部２０に送られる。前記プリント指示データは、インデックスプリント指示データ，１コマプリント指示データ，プリントサイズデータ，プリント枚数データ，プリント受取指示データ，画像データ保存指示データ，画像データ媒体記録指示データを含み、これらの他に、パノラマプリントやトリミングプリント等の特別なプリント指示データも入力可能になっている。これらプリント指示データは予め設定されると、これがメモリに記憶され、以後これらの内容が変更されるまで、これが出力されるようになっている。前記プリント受取指示データは、プリント受取希望時間や、郵送，宅配や店頭渡し等の受取方法を指示する。
【００１４】
携帯電話部２０は、圧縮された画像データと識別・指示データとを対応させて、これを周知の携帯電話回線１１を用いてラボ店に転送するものであり、モデム２４と携帯電話２５とから構成されている。携帯電話２５は、本実施形態では画像データと識別・指示データとをデータ転送するのみであるから、通話機能は省略されている。なお、近くに利用可能な一般電話回線や公衆電話回線がある場合には、有線でのデータ転送も可能になるように、公衆電話等の回線口への接続ターミナルが設けられている。データ転送は、撮像、画像処理、画像記録、データ圧縮等の各処理が終了した後に自動的に行われ、これにより予め登録されているラボ店のプリント設備１０に画像データと識別・指示データとがデータ転送される。このように、撮影が終了すると、この画像データが識別・指示データとともにラボ店のプリント設備１０にデータ転送されるため、従来のカメラのように記録媒体の記憶容量を気にすることなく、何コマでも無制限に撮影が可能になる。なお、各撮影コマを識別するために、各画像データにはコマ識別番号が付される。このコマ識別番号は、撮影コマ数を単にカウントアップしたものを用いる他に、撮影日時データを用いてもよい。
【００１５】
また、前記データ通信部１３は、ラボ店にデータ転送した画像データを閲覧する閲覧モードを備えている。この閲覧モードでは、カメラ９からラボ店の画像記憶ファイル３１にアクセスして、今まで撮影した各コマのインデックス画像や１コマ画像をカメラ９側に取り込み、これをカメラ９の電子式ファインダーやディスプレィ、更にはカメラとは別体のディスプレィ等に選択的に表示する。
【００１６】
ラボ店には、転送された画像データに基づきプリントを行うプリント設備１０が設置されている。プリント設備１０は、データ受信部３０、画像記憶ファイル３１、デジタルプリンタ３２、請求書発行プリンタ３３、システムコントローラ３４から構成されている。
【００１７】
データ受信部３０は電話回線に接続されたモデム３５と、このモデム３５からのデータを画像データ及び識別・指示データにデコードするデータ変換部３６とから構成されている。データ変換部３６からの画像データ及び識別・指示データは、システムコントローラ３４によって、識別データを検索用データとして、画像記憶ファイル３１に記憶される。
【００１８】
システムコントローラ３４はプリント指示データに基づき、図２に示すように、デジタルプリンタ３２を制御してハードコピィ４５を作成する。先ず、プリント指示データの内、プリント受取希望時間を読み取って、プリント受取希望時間が迫っているものから、画像データを読みだしてデジタルプリントする。その際に、プリント指示データの、１コマプリント指示データ，インデックスプリント指示データ，プリントサイズデータ、プリント枚数データを読み取り、これらの指示内容に沿って各プリントを行う。また、裏印字機４２により、識別番号及びこれのバーコードがハードコピィ４５の裏面に印字される。
【００１９】
また、システムコントローラ３４は、プリント処理の内容に基づき請求内容を演算し、これを請求書発行プリンタ３３に出力する。請求書発行プリンタ３３では、識別番号から顧客名を特定し、顧客名，受渡し日時、受渡し場所、金額等の請求書内容をプリントする。なお、請求書にも識別番号及びこれのバーコードが記録されるため、これらを自動読み取ることで、仕上がったハードコピィ４５が識別番号毎にまとめられ、更にはこのハードコピィ４５と請求書とが自動照合されて１まとまりにされ、袋詰めされる。袋詰めされたハードコピィ４５は、プリント受取指示データに基づき、郵送，宅配や店頭渡し等の受取方法が特定されて、仕分けられる。そして、各仕分けに応じてこれらが郵送，宅配，店頭渡しされる。
【００２０】
また、システムコントローラ３４は、プリント指示データの内、画像データ保存指示データを読み取り、画像データの保存が指示されたものは、これら画像データを消去することなく、画像データを所定期間だけ保存しておく。これにより、カメラ９からやパソコン通信等によって画像の閲覧、ダウンロードを可能にする。また、単なるプリント指示データだけであり、画像データを保存する指示がないものに関しては、プリント及びプリント検定が終了した段階で、画像記憶ファイル３１の該当画像データが消去される。また、画像データ媒体記録指示データが記録されていた画像データの場合には、ＭＯやＣＤ−ＲＯＭ、ＭＤ等の大容量記憶媒体に画像データを書き込んだ後に、画像記憶ファイルの該当画像データを消去する。
【００２１】
図２に示すように、デジタルプリンタ３２はレーザー光による走査露光方式の焼付露光部４０を備えている。焼付露光部４０は、カラーペーパー（銀塩カラー感光材料）４１の送りに同期させてカラーペーパー４１の幅方向に焼付ビームを走査することにより、各コマを焼付露光する。また、インデックス画像の場合には、通常の１コマサイズの中に多数個の画像が縮小プリントされる。
【００２２】
カラーペーパー４１の裏面には、各プリント対象コマに対応する位置で、識別番号及びこれのバーコードが裏印字機４２により印字される。この識別番号及びバーコードは、ハードコピィと請求書との照合に利用される。なお、焼付露光部４０は、レーザー光による走査露光方式の他に、他のＣＲＴや液晶表示パネル等を用いた面露光方式又は線露光方式を用いてもよい。また、プリントした後に、パンチャ等のマーカー４３によって各コマの余白部にカットマークが記録される。この焼付露光済みのカラーペーパー４１は周知のようにペーパープロセサ４４で現像処理された後に、カットマークに基づき各コマ毎に切り離され、ハードコピィ４５が作成される。
【００２３】
なお、上記実施形態は写真プリント方式のデジタルプリンタ３２を用いたが、この他に、熱現像転写方式のカラープリンタ、カラーインクジェットプリンタ、カラー感熱プリンタ、カラーレーザープリンタを用いてもよい。
【００２４】
また、上記実施形態では、画像データをデジタルプリントしたが、この他に、ワープロ等で入力された文字データや文書データをパソコン通信等によりラボ店に送り、先に送った画像データとこれら文字、文書データとを画像合成して、これらをプリントしてもよい。また、文字、文書データを画像合成する代わりに、図２に示すような裏印字機４２を用いてハードコピィ４５の裏面に印字してもよい。
【００２５】
また、画素ずらしの手法を用いて高解像度画像データを得るようにしてもよい。例えば、撮像部のイメージエリアセンサを結像画面上で圧電素子等により１画素間隔よりも狭い範囲で動かして順次撮像して、疑似的にイメージエリアセンサの画素数よりも高い解像度の画像データを得る。この場合には、画素ずらしの位置（ｘ，ｙ座標）を表すデータと該当する画像データをラボ店にデータ転送する。そして、画像データを単独で符号化する代わりに、順次撮影した画素ずらし画像間の相関が高い（同一シーンを撮影しているので）ことを利用して、画像間差分データを符号化する。このように画像間差分データを符号化する方式を用いれば、記憶及び転送データ量を軽減することができる。ラボ店では、画素ずらしの位置データと該当する画像データを用いて、画素補完処理により高解像度画像データを作成してプリントする。このとき、必要に応じて、平滑化、強調等の画像処理を加えるとよい。
【００２６】
次に、動画を撮影するビデオカメラに対して本発明を実施する例を説明する。ある時刻におけるフレーム画像の前後は、ほぼ同一のシーンが写っている。画面が完全に静止している場合、静止時間中の複数フレーム画像の平均値をとれば、撮像入力系から記録系の間に発生するノイズを効果的に除去することができる。また、画面が動いている場合（所定の許容範囲内の画面移動の場合）、上記画素ずらしの効果を動画像が持つことになる。そこで、プリント目標のフレームの前後のフレームの画像データを画素補完処理に利用することで、疑似的に高解像度画像データを得るようにする。この場合に、画素上での方向及び移動距離を求める必要があるが、これら方向及び移動距離は、フレーム間で局所的マッチングを行うことで求めることができる。例えば、ある時刻における画像からｎフレーム後の画像がイメージエリアセンサの画素上で（ｄｘ，ｄｙ）画素分だけ移動した場合、１フレーム当たり（ｄｘ／ｎ，ｄｙ／ｎ）分だけ画素をずらしたものとみなせる。なお、ｄｘはｘ軸方向移動量を、ｄｙはｙ軸方向移動量を示す。そして、これらの画素ずらし量（ｄｘ／ｎ，ｄｙ／ｎ）が整数でない値を取るタイミングのフレーム画像を画素補完用データとして用いる。なお、動画像からプリントを得る場合には、例えば図３に示すデジタルスチルカメラ４９に対して、動画撮影機能を付与することで行う。そして、図３に示す識別・指示データ発生部１９により、撮像部により撮像された動画像からプリント目標のフレームである画像データを指定する。
【００２７】
上記実施形態では、デジタルスチルカメラ９にデータ通信部１３を一体的に設けたが、これらは分離可能にしてもよい。また、データ通信部１３に通話機能を付加して、カメラと携帯電話とを兼用させてもよい。また、上記実施形態では、カメラ９とプリント設備１０とは携帯電話回線１１により接続するようにしたが、この他に無線によって直接に接続してもよい。
【００２８】
上記実施形態では、カメラ側でプリント指示データを入力し、これを画像データとともに転送するようにしたが、予めプリント指示データをラボ店に登録しておき、変更のある場合だけ、これを後で電話等により連絡するようにしてもよい。また、画像データとともに撮影条件データを転送するようにしてもよい。撮影条件データとしては、撮影日時、撮影レンズ焦点距離、被写体距離、被写体照射光源の種別、天気、気温などがあり、これらをプリントの際に利用することで、プリント品質を向上することができる。また、焼増を指示する場合には、既に画像データは転送されているので、識別データとプリント枚数とをカメラ９によりプリント設備１０に転送すればよく、簡単に焼増プリントを行うことができる。
【００２９】
上記実施形態は、個人ユーザーとラボ店との間におけるプリントシステムであるが、この他に、新聞社やテレビ局等におけるカメラマンと本社との間におけるプリントシステムに実施してもよい。この場合には即時性のある画像が簡単に得られるようになる。
【００３０】
上記実施形態ではスチルカメラ本体１２とデータ通信部１３とからデジタルスチルカメラ９を構成したが、この他に、ＩＣカードを装着可能に構成して、これに画像データを記憶するようにしてもよい。この場合には、必要に応じて、ＩＣカードをラボ店に提出することでプリントサービスを受けるようにしてもよい。更には、外出先近くのラボ店にて、カメラやＩＣカードから画像データのみを渡し、自宅近くのラボ店からプリントを受け取ったり、配送してもらってもよい。なお、この場合には、ＩＣカードに、顧客識別番号や必要に応じて住所，氏名等のデータを記憶しておく。
【００３１】
上記実施形態では撮影毎に画像データとともに識別データ及び指示データをデータ転送するようにしたが、この他に、図３，図４に示すように、デジタルスチルカメラ４９に、データ圧縮された画像データを複数コマ分記憶するデータメモリ２２を設けて、複数コマを撮影した後にデータ転送するようにしてもよい。この場合には、データメモリ２２をデータ圧縮部１８と携帯電話部２０との間に設ける。そして、各画像データとプリント指示データとを対応付けてデータメモリ２２に記憶する。なお、図３において、図１と同一構成部材のものには同一符号が付してある。このスチルカメラ本体５０は画像表示回路５１、液晶表示パネル５２を備えており、撮像した画像を液晶表示パネル５２で確認することができるようになっている。
【００３２】
前記データメモリ２２には、画像データ及びプリント指示データの他に、カメラ使用者を特定する識別番号データ、送信先電話番号データなどの固有データも記憶しておく。なお、これら固有データは、データメモリ２２に記憶する代わりに、携帯電話部２０の送信先メモリに登録しておいてもよく、更には、システムコントローラ１４の内蔵メモリに記憶してもよい。
【００３３】
複数の撮影コマを一括してデータ送信する場合には、これら一連のコマの画像データ、コマ識別データ、及びプリント指定データの他に、ユーザー識別番号データも転送する。このユーザー識別番号の転送は、上記実施形態と同じように撮影コマ毎に、識別データ、画像データ、プリント指示データを送る他に、識別データをフッダとして、各画像データ及びこれらのプリント指示データをまとめて転送してもよい。撮影コマ毎に各データを転送する場合には、転送途中での電波障害等により通信回線が遮断された場合に、転送済みの撮影コマを再度転送する必要がなくなるので便利である。この場合には、各コマを正常に受信した場合に、プリント設備側では各コマの受信終了後に正常受信信号を送信する。これにより、通信途中で回線が遮断された場合に、遮断されたコマから再度送信すればよくなり、通信費が抑えられる。なお、図４では正常に受信されない場合に正常に受信されるまでデータ転送するようにされているが、このデータの再転送回数に制限を設けてもよい。この場合には、一定回数を越えたときにアラームを発生させる。また、ユーザー識別番号データとコマ番号識別データとを組み合わせて用いてもよく、この場合には１つの識別番号で、ユーザーと撮影コマとを識別することができる。
【００３４】
データメモリ２２に記録された複数コマの画像データの転送は、図４に示すように一定コマ数が撮影された後に行う他に、一定のデータ量がデータメモリ２２に蓄積された際に、データ転送してもよい。また、撮影を終了してから一定時間が経過した後に、蓄積されている画像データ，識別データ，プリント指定データをデータ転送してもよい。更には、手動転送モードにして、手動により適宜にデータ転送してもよい。また、データ転送する際に、カメラ９が建物や地下街などのような通信不能エリアにある場合には、自動的にデータ転送待機モードにされる。このデータ転送待機モードでは、カメラ９が通信可能エリアに入った時に、データ転送が行われる。
【００３５】
画像データの送信が終了して、受信側から正常受信信号を受け取ると、送信記録がデータメモリ２２の所定エリアに記憶された後に、データメモリ２２から、送信済みの画像データ及びこれのプリント指示データが自動的に削除される。送信記録データとしては、送信日時データ、送信コマ識別番号データ、プリント受取指定データなどがある。なお、自動削除の他に、マニュアル指定でこれらデータの削除を行ってもよい。また、受信元から正常受信信号を送る代わりに、正常に受信した場合に、受信元のラボ店で受付ＩＤ番号を発行し、これを受信元からカメラ９側で送信してもよい。この場合には、カメラ側では、受信した受付ＩＤ番号をデータメモリ２２に記憶しておく。
【００３６】
画像データの転送先は、予めカメラに登録してあるものへ転送される他に、カメラのデータメモリ２２に画像データ転送先一覧を記憶しておき、これらの中から選択してデータ転送してもよい。この場合には、各地域毎に図５に示すような、受付設備６０を設ける。受付設備６０は一般的にはラボ店に設置されるが、これは単独で設けてもよい。
【００３７】
受付設備６０は、データ受信部６１、一時記憶ファイル６２、受取先データ解読部６３、再送信データ発生部６４、再送信ファイル作成部６５、データ送信部６６、及びシステムコントローラ６７を備えている。データ受信部６１及びデータ送信部６６は、モデム７０，７１とデータ変換部７２，７３とから構成されている。データ受信部６１で受信されたデジタルスチルカメラ４９からの送信データは、一時記憶ファイル６２に記憶される他に、受取先データ解読部６３に送られる。受取先データ解読部６３は、送信データから受取先を解読し、この受取先データと識別データとを再送信データ発生部６４に送る。再送信データ発生部６４は、受取先データに基づき、この受取先を送信先とする再送信データを作成し、これと識別データとを再送信ファイル作成部６５に送る。再送信ファイル作成部６５では、識別データに基づき、一時記憶ファイル６２から対応する識別データの画像データ及びプリント指示データを読みだして、プリント受取先を送信先とする再送信ファイルを作成する。作成された再送信ファイルは、データ送信部６６により専用回線７５を介して、目的とするプリント受取先のプリント設備１０に送られる。したがって、プリント受取先でプリントが行われるため、最短納期でユーザーはプリントを受け取ることができる。再送信ファイルの送信は、専用回線７５を用いて行われる他に、一般公衆回線を用いたインターネットなどのネットワークを用いてもよい。
【００３８】
また、画像データの転送先は、カメラの現在位置情報に基づき自動選択させてもよい。カメラの現在位置情報の入力は、簡単なものでは、撮影者自らが、地名等をキー入力部２１によりキー入力することで行う。この場合には、地名と画像データ転送先とを関連付けたものをカメラのメモリに記憶しておき、地名から画像データ転送先を特定する。また、グローバルポジショニングシステム（ＧＰＳ）を備えたカメラの場合にはこのＧＰＳ信号に基づき現在位置を特定し、これに基づき転送先を特定する。この他に、受信基地局情報が得られる携帯電話部２０の場合には、この受信基地局の所在地をおおよその現在位置としてもよい。このようにしてデータ転送先をカメラの現在位置に最も近い場所を選択することで、携帯電話回線を用いた場合の通信費を最小に抑えることができる。また、現在位置情報を入力することで、この現在位置に近い複数の画像データ転送先の一覧を液晶表示パネル５２に表示し、これらの中から好みのデータ転送先を選択させるようにしてもよい。
【００３９】
また、プリント指示情報のプリント受取先情報は予め決められた場所、例えば自宅や最寄りのＤＰ受付店の他に、カメラ側でその都度プリント受取先を変更してもよい。この場合には、予め地名とプリント受取先データとを関連付けてカメラに記憶しておき、カメラの現在位置情報に基づき自動選択させてもよい。このプリント受取先も、上記画像データの転送先と同じように、地名データ，ＧＰＳ信号，受信基地局情報に基づき、例えば現在最も近くにある受取場所等を指定してもよい。この場合には、プリント受取希望時間をプリント受取指示データとして入力しておくことで、旅行等の出先で指定した時間に指定した場所でプリントを受け取ることもできるようになる。また、現在位置情報を入力することで、この現在位置に近い複数のプリント受取先の一覧を液晶表示パネル５２に表示し、これらの中から好みの受取先を選択させるようにしてもよい。
【００４０】
なお、上記実施形態では撮影した画像データをデータ圧縮して転送するようにしたが、この他に、転送効率は低下するものの、データ圧縮することなく画像データをそのまま転送してもよい。また、撮影した画像データはカメラのディスプレィで確認した後にデータ転送を行うようにしてもよい。
【図面の簡単な説明】
【００４１】
【図１】本発明のカメラを有するプリントシステムを示す概略図である。
【図２】デジタルプリンタを示す概略図である。
【図３】本発明で用いるデジタルスチルカメラを示す概略図である。
【図４】同カメラにおける処理手順を示すフローチャートである。
【図５】同カメラからの画像データを中継する受付設備とプリント設備とのネットワークを示す概略図である。
【符号の説明】
【００４２】
９，４９  カメラ
１０  プリント設備
１１  携帯電話回線
１２  スチルカメラ本体
１３  データ通信部
１４  システムコントローラ
１５  撮像部
１６  画像処理部
１７  バッファメモリ
１８  データ圧縮部
１９  識別・指示データ発生部
２０  携帯電話部
２２  データメモリ
３０  データ受信部
３１  画像記憶ファイル
３２  デジタルプリンタ
３３  請求書発行プリンタ
３４  システムコントローラ
４１  カラーペーパー
４５  ハードコピィ
【図１】
2008099327.tif 000003
【図２】
2008099327.tif 000004
【図３】
2008099327.tif 000005
【図４】
2008099327.tif 000006
【図５】
2008099327.tif 000007